(57)【特許請求の範囲】
【請求項１】
コンテンツを格納するコンテンツ格納部と、
前記コンテンツを利用可能な端末装置を登録する登録部と、
前記コンテンツ格納部に格納されるコンテンツを利用するための登録要求を通信網を介して所定の端末装置から受付けると、計測用パケットを前記所定の端末装置に送信するパケット送信部と、
前記計測用パケットの応答パケットを前記所定の端末装置から受信し、前記計測用パケットの送信から前記応答パケットの受信までの時間を示す計測値と所定の参照計測値とを比較する計測値チェック部と、
前記計測値が前記所定の参照計測値よりも小さい場合、前記所定の端末装置を前記登録部に登録し、一方、前記計測値が前記所定の参照計測値よりも大きい場合、前記パケット送信部に新たな計測用パケットを前記所定の端末装置に送付させ、前記計測値が前記所定の参照計測値より小さくなると前記所定の端末装置を前記登録部に登録する登録処理部と、
前記登録要求からの経過時間を時系列に区分した時間区分と前記登録処理部の処理状況を示す状況通知情報とを前記時間区分毎に対応付けて記憶する格納部と、
前記計測値が前記所定の参照計測値より大きい場合であって、前記登録要求からの経過時間がいずれかの時間区分を超えた場合、前記越えた時間区分に対応する状況通知情報を前記所定の端末装置に送信する通知部と、
から構成されることを特徴とするサーバ。
【請求項２】
前記状況通知情報は、サーバの処理状況を示すメッセージであることを特徴とする請求項１記載のサーバ。
【請求項３】
前記所定の端末装置は、前記サーバの処理状況を示す複数のメッセージと各メッセージを示す識別情報とを格納し、
前記状況通知情報は、前記識別情報であることを特徴とする請求項１記載のサーバ。
【請求項４】
前記登録処理部は、前記所定の端末装置を前記登録部に登録する際、前記登録の有効期限を設定し、前記有効期限内に前記登録要求を前記所定の端末装置から受付けた場合に、前記パケット送信部に前記計測用パケットを前記所定の端末装置に送信させ、前記計測用パケットの送信から応答パケットを受信するまでの時間を示す計測値が第２の参照計測値より小さい場合、前記有効期限の延長処理を行い、一方、前記計測値が前記第２の参照計測値よりも大きい場合、前記パケット送信部に新たな計測用パケットを前記所定の端末装置に送付させ、前記計測値が前記第２の参照計測値より小さくなると前記有効期限の延長処理を行う
ことを特徴とする請求項１記載のサーバ。
【請求項５】
前記第２の参照計測値は、前記所定の参照計測値よりも大きい値である
ことを特徴とする請求項４記載のサーバ。
【請求項６】
前記登録処理部は、前記有効期限の延長処理を行った回数をカウントし、前記カウントした回数が増えるに応じて、前記有効期限の延長期間をより長く設定する
ことを特徴とする請求項４記載のサーバ。
【請求項７】
コンテンツの送信、又はコンテンツを送信するための登録チェックを行っていない空き時間を検出する空き時間管理部を備え、
前記登録処理部は、前記空き時間に前記有効期限の延長処理を行う
ことを特徴とする請求項４記載のサーバ。
【請求項８】
前記登録処理部は、前記有効期限の残りの期間が所定の設定値より少ない場合、他の処理に優先して前記有効期限の延長処理を行う
ことを特徴とする請求項４記載のサーバ。
【請求項９】
前記通信網は、無線の通信網である
ことを特徴とする請求項１記載のサーバ。
【請求項１０】
前記通信網は、有線の通信網である
ことを特徴とする請求項１記載のサーバ。
【請求項１１】
コンテンツを保持するサーバと、前記コンテンツを利用する端末装置と、を含む機器登録システムであって、
前記サーバは、
前記コンテンツを格納するコンテンツ格納部と、
前記コンテンツを利用可能な端末装置を登録する登録部と、
前記コンテンツ格納部に格納されるコンテンツを利用するための登録要求を前記通信網を介して所定の端末装置から受付けると、計測用パケットを前記所定の端末装置に送信するパケット送信部と、
前記計測用パケットの応答パケットを前記所定の端末装置から受信し、前記計測用パケットを送信してから前記応答パケットを受信するまでの時間を計測した計測値と所定の参照計測値とを比較する計測値チェック部と、
前記計測値が前記所定の参照計測値よりも小さい場合、前記所定の端末装置を前記登録部に登録し、一方、前記計測値が前記所定の参照計測値よりも大きい場合、前記パケット送信部に新たな計測用パケットを前記所定の端末装置に送付させ、前記計測値が前記所定の参照計測値より小さくなると前記所定の端末装置を前記登録部に登録する登録処理部と、
前記登録要求からの経過時間を時系列で複数に区分した時間区分と前記登録処理部の処理状況を示す状況通知情報とを前記時間区分毎に対応付けて記憶する格納部と、
前記計測値が前記所定の参照計測値より大きい場合であって、前記登録要求からの経過時間がいずれかの時間区分を超えた場合、前記越えた時間区分に対応する状況通知情報を前記所定の端末装置に送信する通知部と、を
具備し、
前記端末装置は、
前記登録要求を前記サーバに送信する通信処理部と、
前記サーバより前記計測用パケットを受信し、前記計測用パケットの応答パケットを前記サーバに送信するパケット通信部と、
前記サーバより送信される状況通知情報に基づいてメッセージを表示する表示部と、を
具備する
ことを特徴とする機器登録システム。
【請求項１２】
コンテンツを格納するコンテンツ格納部と、前記コンテンツを利用可能な端末装置を登録する登録部と、前記登録要求からの経過時間を時系列に区分した時間区分と前記登録処理部の処理状況を示す状況通知情報とを前記時間区分毎に対応付けて記憶する格納部と、を具備するサーバの機器登録方法であって、
前記コンテンツ格納部に格納されるコンテンツを利用するための登録要求を前記通信網を介して所定の端末装置から受付けると、計測用パケットを前記所定の端末装置に送信し、
前記計測用パケットの応答パケットを前記所定の端末装置から受信し、前記計測用パケットの送信から前記応答パケットの受信までの時間を示す計測値と所定の参照計測値とを比較し、
前記計測値が前記所定の参照計測値よりも小さい場合、前記所定の端末装置を前記登録部に登録し、一方、前記計測値が前記所定の参照計測値よりも大きい場合、前記パケット送信部に新たな計測用パケットを前記所定の端末装置に送付させ、前記計測値が前記所定の参照計測値より小さくなると前記所定の端末装置を前記登録部に登録し、
前記計測値が前記所定の参照計測値より大きい場合であって、前記登録要求からの経過時間がいずれかの時間区分を超えた場合、前記越えた時間区分に対応する状況通知情報を前記所定の端末装置に送信する
ことを特徴とする機器登録方法。
【請求項１３】
コンテンツを格納するコンテンツ格納部と、前記コンテンツを利用可能な端末装置を登録する登録部と、前記登録要求からの経過時間を時系列に区分した時間区分と前記登録処理部の処理状況を示す状況通知情報とを前記時間区分毎に対応付けて記憶する格納部と、を具備するサーバで用いられる登録プログラムであって、
前記サーバのコンピュータに対し、
前記コンテンツ格納部に格納されるコンテンツを利用するための登録要求を前記通信網を介して所定の端末装置から受付けると、計測用パケットを前記所定の端末装置に送信する処理と、
前記計測用パケットの応答パケットを前記所定の端末装置から受信し、前記計測用パケットの送信から前記応答パケットの受信までの時間を示す計測値と所定の参照計測値とを比較する処理と、
前記計測値が前記所定の参照計測値よりも小さい場合、前記所定の端末装置を前記登録部に登録し、一方、前記計測値が前記所定の参照計測値よりも大きい場合、前記パケット送信部に新たな計測用パケットを前記所定の端末装置に送付させ、前記計測値が前記所定の参照計測値より小さくなると前記所定の端末装置を前記登録部に登録する処理と、
前記計測値が前記所定の参照計測値より大きい場合であって、前記登録要求からの経過時間がいずれかの時間区分を超えた場合、前記越えた時間区分に対応する状況通知情報を前記所定の端末装置に送信する処理とを
実行させることを特徴とする登録プログラム。
【発明の詳細な説明】
【技術分野】
【０００１】
本発明は、コンテンツを保持するサーバに、コンテンツを利用する端末装置を登録する技術に関し、特に、登録の際のユーザの利便性を向上させる技術に関する。
【背景技術】
【０００２】
音楽や映像、ゲームなどのデジタル著作物（以下、コンテンツ）を端末装置で利用する場合、コンテンツを保持するサーバは、端末装置にコンテンツの利用権利があるか否かを判断し、権利があると判断する場合に、端末装置を登録し、登録した端末装置に対してコンテンツを提供する。特許文献１は、クレジットカードの番号を、特許文献２は、携帯電話を用いて、コンテンツの利用権利の有無を判断する技術が開示されている。
【０００３】
また、上記判断技術の一つとして、サーバは、計測用のパケットを端末装置に送信し、端末装置から応答用のパケットを受信し、計測用のパケットの送信から応答用のパケットを受信するまでのパケット通信時間を計測し、計測した時間が基準値以下であれば当該端末装置は利用権利があると判断する（例えば、特許文献３）。この技術は、サーバと端末装置との通信時間が短い場合、例えば、サーバと端末装置とが１つの家屋内に存在する場合に、利用権利があるとする考え方に基づく。
【特許文献１】
特開２００２−１６９７２６号公報
【特許文献２】
特開２００２−３０５５１４号公報
【特許文献３】
特開２００４−３０４７５５号公報
【発明の開示】
【発明が解決しようとする課題】
【０００４】
しかしながら、サーバと端末装置とが接続されるネットワークの通信の状況によって、前記パケット通信時間は変化する。例えば、別の端末装置が、外部からこのネットワークを介して、容量の大きいデータをダウンロードしている場合などには、前記パケット通信時間は前記基準値以上にかかる。このような場合、端末装置とサーバとの間のパケット通信時間は、本来はもっと短いにもかかわらず、基準値以上であるため、端末装置を登録できないという状況が発生しうる。
【０００５】
このような状況で端末装置の登録に失敗したとき、ネットワークの通信の状況やサーバの処理の状況を理解できないユーザは、不安である。
本発明は、このようなユーザの不安を解消することができるサーバの提供を目的とする。
【課題を解決するための手段】
【０００６】
本発明は、コンテンツを格納するコンテンツ格納部と、前記コンテンツを利用可能な端末装置を登録する登録部と、前記コンテンツ格納部に格納されるコンテンツを利用するための登録要求を通信網を介して所定の端末装置から受付けると、計測用パケットを前記所定の端末装置に送信するパケット送信部と、前記計測用パケットの応答パケットを前記所定の端末装置から受信し、前記計測用パケットの送信から前記応答パケットの受信までの時間を示す計測値と所定の参照計測値とを比較する計測値チェック部と、前記計測値が前記所定の参照計測値よりも小さい場合、前記所定の端末装置を前記登録部に登録し、一方、前記計測値が前記所定の参照計測値よりも大きい場合、前記パケット送信部に新たな計測用パケットを前記所定の端末装置に送付させ、前記計測値が前記所定の参照計測値より小さくなると前記所定の端末装置を前記登録部に登録する登録処理部と、前記登録要求からの経過時間を時系列に区分した時間区分と前記登録処理部の処理状況を示す状況通知情報とを前記時間区分毎に対応付けて記憶する格納部と、前記計測値が前記所定の参照計測値より大きい場合であって、前記登録要求からの経過時間がいずれかの時間区分を超えた場合、前記越えた時間区分に対応する状況通知情報を前記所定の端末装置に送信する通知部と、から構成されることを特徴とするサーバである。
【０００８】
本発明は、上記構成のサーバである。
また、コンテンツを保持するサーバと、前記コンテンツを利用する端末装置と、を含む機器登録システムであって、前記サーバは、前記コンテンツを格納するコンテンツ格納部と、前記コンテンツを利用可能な端末装置を登録する登録部と、前記コンテンツ格納部に格納されるコンテンツを利用するための登録要求を前記通信網を介して所定の端末装置から受付けると、計測用パケットを前記所定の端末装置に送信するパケット送信部と、前記計測用パケットの応答パケットを前記所定の端末装置から受信し、前記計測用パケットを送信してから前記応答パケットを受信するまでの時間を計測した計測値と所定の参照計測値とを比較する計測値チェック部と、前記計測値が前記所定の参照計測値よりも小さい場合、前記所定の端末装置を前記登録部に登録し、一方、前記計測値が前記所定の参照計測値よりも大きい場合、前記パケット送信部に新たな計測用パケットを前記所定の端末装置に送付させ、前記計測値が前記所定の参照計測値より小さくなると前記所定の端末装置を前記登録部に登録する登録処理部と、前記登録要求からの経過時間を時系列で複数に区分した時間区分と前記登録処理部の処理状況を示す状況通知情報とを前記時間区分毎に対応付けて記憶する格納部と、前記計測値が前記所定の参照計測値より大きい場合であって、前記登録要求からの経過時間がいずれかの時間区分を超えた場合、前記越えた時間区分に対応する状況通知情報を前記所定の端末装置に送信する通知部とを具備し、前記端末装置は、前記登録要求を前記サーバに送信する通信処理部と、前記サーバより前記計測用パケットを受信し、前記計測用パケットの応答パケットを前記サーバに送信するパケット通信部と、前記サーバより送信される状況通知情報に基づいてメッセージを表示する表示部と、を具備することを特徴とする機器登録システムである。
【０００９】
この構成によると、サーバから登録の状況を伝える状況通知情報を送信し、端末装置は状況通知情報に基づいてメッセージ表示することにより、不安を解消できるメッセージをユーザに表示することが出来る。また、本明細書では、状況通知情報として、登録の状況を経過時間に応じて表示する。これにより、例えばユーザは、容量の大きいデータのダウンロードを中止したり、サーバと端末装置とが無線通信の場合は、機器同士の距離を近づけるなどの対処をすることによって、登録を成功し易くすることが出来る。
【００１０】
ここで、前記登録処理部は、前記所定の端末装置を前記登録部に登録する際、前記登録の有効期限を設定し、前記有効期限内に前記登録要求を前記所定の端末装置から受付けた場合に、前記パケット送信部に前記計測用パケットを前記所定の端末装置に送信させ、前記計測用パケットの送信から応答パケットを受信するまでの時間を示す計測値が第２の参照計測値より小さい場合、前記有効期限の延長処理を行い、一方、前記計測値が前記第２の参照計測値よりも大きい場合、前記パケット送信部に新たな計測用パケットを前記所定の端末装置に送付させ、前記計測値が前記第２の参照計測値より小さくなると前記有効期限の延長処理を行うとしても良い。
【００１１】
この構成によると、延長処理として、２回目以降の登録を行うことにより、端末装置が宅内にある限り有効期限が延長され、ユーザは、シームレスにコンテンツを利用することが出来る。また、このような延長処理をコンテンツ利用のバックグラウンドで行うため、ユーザは延長処理を意識して行う必要が無い。
ここで、前記第２の参照計測値は、前記所定の参照計測値よりも大きい値であるとしても良い。
【００１２】
この構成によると、初回の登録時には、前記所定の参照計測値を小さくし、厳密に計測を行うことで安全性を向上する。また、２回目以降の登録処理、つまり延長処理では、前記第２の参照計測値を前記所定の参照計測値より大きくして延長し易くし、ユーザの利便性を向上することが出来る。
ここで、前記登録処理部は、前記有効期限の延長処理を行った回数をカウントし、前記カウントした回数が増えるに応じて、前記有効期限の延長期間をより長く設定するとしても良い。
【００１３】
登録している期間が長くなると延長処理の回数が増えるが、この構成によると、延長回数に応じて期間を長くするため、延長処理を行う回数を減らすことが出来る。
ここで、前記サーバの前記計測手段は、前記延長処理の場合、当該サーバと端末装置との間の通信路において、他の情報より優先して送信することを示す付加情報を前記計測用情報に付して送信するとしても良い。
【００１５】
ここで、前記登録処理部は、前記有効期限の残りの期間が所定の設定値より少ない場合、他の処理に優先して前記有効期限の延長処理を行うとしても良い。
【００１６】
この構成によると、有効期限の残りが少なくなると、サーバ及び端末装置において、他の処理、例えばコンテンツの視聴などより優先して延長処理が行われるため、有効期限の延長をし易くすることが出来る。
ここで、前記サーバは、コンテンツの送信、又はコンテンツを送信するための登録チェックを行っていない空き時間を検出する空き時間管理部を備え、前記登録処理部は、前記空き時間に前記有効期限の延長処理を行うとしても良い。
【００１７】
この構成によると、他の処理を行っていない時間に延長処理が行われるので、ユーザが有効期限を意識することなく端末装置を用いてコンテンツを利用可能となる。
【発明を実施するための最良の形態】
【００１８】
（実施の形態１）
１．  機器登録システム１の構成
機器登録システム１は、図１に示すように、サーバ１００、端末装置２００、端末装置３００、端末装置４００及び通信網５００から構成される。
端末装置３００及び４００は、通信網５００を介してサーバ１００に接続されて、既に登録されているものとする。登録されていることにより、ユーザは、端末装置３００及び４００を用いて、サーバ１００に格納されているコンテンツを通信網５００を介して視聴することが出来る。
【００１９】
ここで、ユーザは、新たに端末装置２００を通信網５００に接続し、サーバ１００に登録する場合について説明する。
端末装置２００をサーバ１００に登録することにより、ユーザは端末装置２００を用いても、サーバ１００に格納されているコンテンツを、通信網５００を介して視聴することが出来るようになる。
【００２０】
以下、各装置について説明する。
１．１  サーバ１００の構成
サーバ１００は、図２に示すように、登録リスト格納部１０１、登録チェック部１０２、登録処理部１０３、通信部１０４、計測値チェック部１０５、パケット送信部１０６、参照値格納部１０７、経過時間測定部１０８、メッセージ通知部１０９、メッセージリスト格納部１１０、コンテンツ格納部１１１、コンテンツ送信部１１２、計時部１１３、入出力部１１６及び基準経過時間表格納部１１７から構成される。
【００２１】
サーバ１００は、具体的には、マイクロプロセッサ、ROM、RAM、ハードディスクユニット、ディスプレイユニットなどから構成されるコンピュータシステムである。
前記RAM又は前記ハードディスクユニットには、コンピュータプログラムが記憶されている。
前記マイクロプロセッサが、前記コンピュータプログラムに従って動作することにより、サーバ１００は、その機能を達成する。
【００２２】
サーバ１００は、サーバ１００に登録されている端末装置に対して、通信網５００を介してコンテンツを配信する。また、サーバ１００内のコンテンツを視聴する端末装置の登録処理を行う。
以下、サーバ１００の各構成について説明する。
（１）登録リスト格納部１０１
登録リスト格納部１０１は、登録リストを格納している。
【００２３】
登録リストは、サーバ１００に登録した端末装置のIDを記録するリストである。機器登録システム１においては、端末装置３００及び端末装置４００のIDであるID3及びID4が既に登録されている。
（２）登録チェック部１０２、登録処理部１０３、通信部１０４
登録チェック部１０２は、端末装置から登録要求を受け付けた場合、及びコンテンツの送信を要求された場合に、要求元の端末装置が登録されているか否かを判断する。
【００２４】
登録チェック部１０２は、端末装置２００から登録の要求を受け付けた場合、登録リスト格納部１０１から登録リストを読み出して、端末装置２００のID2が登録されているか否かを判断する。登録リストにID２が登録されている場合、端末装置２００が既に登録されていると判断して、結果を通信部１０４に出力する。
ID2が登録されていない場合、端末装置２００が未登録であると判断し、判断結果を登録処理部１０３へ出力する。
【００２５】
また、コンテンツの送信を要求された場合も同様に、要求元の端末装置のIDが登録リストに登録されているか否かを判断し、未登録であると判断した場合、通信部１０４へ未登録であることを示す判断結果を出力する。また、登録されていると判断する場合、コンテンツ送信部１１２へ、登録されていることを示す判断結果を出力する。
登録処理部１０３は、登録チェック部１０２によるチェック結果が未登録である場合、各部が登録処理を行い、計測値チェック部１０５が登録を許可すると判断する場合、端末装置２００のID２を登録リストに書き込み、端末装置２００を登録する。
（３）パケット送信部１０６、参照値格納部１０７、計測値チェック部１０５
参照値格納部１０７は、登録を許可する条件となる参照計測値を格納している。
【００２６】
パケット送信部１０６は、登録処理において、計測パケットを生成し、要求元の端末装置２００へ送信する。
計測値チェック部１０５は、端末装置２００から応答パケットを受信する。また、計時部１１３がカウントする時間情報を利用して、パケット送信部１０６が計測パケットを送信してから応答パケットを受信するまでの時間を計測する。また、計測値を参照計測値と比較し、計測値が参照計測値より小さい場合、登録を許可すると判断する。計測値が参照計測値以上であると判断すると、判断結果をパケット送信部１０６へ出力する。
【００２７】
パケット送信部１０６は、計測値チェック部１０５による判断結果が、参照計測値より小さくなる、又は登録処理が中止されるまで計測パケットの送信を繰り返す。また、計測値チェック部１０５も同様に、計測値が参照計測値より小さくなるまで応答パケットの受信と、計測値の計測と、参照計測値との比較を繰り返す。
（４）計時部１１３
計時部１１３は、現在の日時を計時する。
（５）経過時間測定部１０８、メッセージ通知部１０９、メッセージリスト格納部１１０、基準経過時間表格納部１１７
基準経過時間表格納部１１７は、図３に示す基準経過時間表を格納している。基準経過時間表は、時間区分Tと経過時間とが対応付けられて構成される。時間区分Tは、０〜４の５段階に分けられている。
【００２８】
メッセージリスト格納部１１０は、図４に示すメッセージリストを格納している。メッセージリストは、時間区分Tと表示メッセージとを対応付けて構成される。表示メッセージは、経過時間に応じて端末装置へ送信し、端末装置のモニタに表示する文字データである。メッセージリストの時間区分Tは、基準経過時間表の時間区分Tと対応している。
経過時間測定部１０８は、登録処理が開始されてから現在までの経過時間を計測する。
【００２９】
メッセージ通知部１０９は、経過時間測定部１０８で測定された経過時間に応じたメッセージをメッセージリスト格納部１１０から読み出して端末装置２００へ送信する。
登録処理が開始されると、経過時間測定部１０８は、時間区分Tを「０」に設定し、メッセージ通知部１０９は、時間区分T＝０に対応するメッセージをメッセージリストから読み出して端末装置２００へ送信する。
【００３０】
また、経過時間測定部１０８は、登録処理が終了するまで、処理開始からの経過時間を測定し、基準経過時間表を参照して、時間区分Tが対応する経過時間を超えたか否かを判断する。時間区分T＝０に対応する経過時間は、１分なので、経過時間測定部１０８は、基準経過時間を１分とし、測定した経過時間が基準経過時間の１分を超えたと判断すると、TをインクリメントしてT＝１とし、T＝１であることを示す判断結果をメッセージ通知部１０９へ出力する。
【００３１】
メッセージ通知部１０９は、時間区分T＝１に対応するメッセージをメッセージリストから読み出して端末装置２００へ送信する。
経過時間測定部１０８及びメッセージ通知部１０９は、登録処理が終了するまで、経過時間の測定、基準経過時間との比較、時間区分Tの更新、メッセージの送信を繰り返す。なお、ここでは、時間区分Tは４を最大としており、T＝４の基準経過時間１５分を超えると、新しいメッセージの送信は行わない。
（６）コンテンツ送信部１１２、コンテンツ格納部１１１
コンテンツ格納部１１１は、コンテンツを格納している。
【００３２】
コンテンツ送信部１１２は、登録チェック部１０２によるチェック結果が登録済みである場合に、端末装置から要求されたコンテンツを送信する。
（７）入出力部１１６
入出力部１１６は、通信網５００を介して、端末装置２００〜４００とデータの送受信を行う。
１．２  端末装置２００
端末装置２００は、図５に示すように、パケット通信部２０１、登録結果受信部２０２、メッセージ受信部２０３、コンテンツ再生処理部２０４、通信処理部２０５、モニタ２０６、スピーカ２０７、入力部２０８及び入出力部２０９から構成される。
【００３３】
端末装置２００は、具体的には、マイクロプロセッサ、ROM、RAM、ハードディスクユニット、ディスプレィユニットなどから構成されるコンピュータシステムである。前記RAM又は前記ハードディスクユニットに記憶されているコンピュータプログラムに従って前記マイクロプロセッサが動作することにより、端末装置２００は、その機能を達成する。
（１）通信処理部２０５、入力部２０８
入力部２０８は、ユーザからの操作によって、入力を受け付ける。受け付けた入力を指示情報として通信処理部２０５へ出力する。
【００３４】
通信処理部２０５は、入力部２０８から、サーバ１００への登録を示す指示情報を受け付けると、端末装置２００のID2を含む、登録要求をサーバ１００へ送信する。
また、入力部２０８から、サーバ１００に格納されているコンテンツの視聴を示す指示情報を受け付けると、サーバ１００に対して、指示されたコンテンツの送信を要求する。
（２）パケット通信部２０１
パケット通信部２０１は、サーバ１００から計測パケットを受信する。受信すると、応答パケットを生成し、入出力部２０９を介してサーバ１００へ送信する。
（３）メッセージ受信部２０３
メッセージ受信部２０３は、入出力部２０９を介してサーバ１００から文字データを受信すると、モニタ２０６に出力する。
（４）登録結果受信部２０２
登録結果受信部２０２は、サーバ１００に登録を要求した場合、及びコンテンツの送信を要求した場合に、サーバ１００から受信する処理結果を受信する。
【００３５】
登録を要求した場合は、登録済み、登録完了又は登録中止の通知を受信し、受信した結果をモニタ２０６に表示する。また、コンテンツの送信を要求した場合に、サーバ１００から未登録であることを示す通知を受信すると、モニタ２０６に未登録の旨を表示する。
（５）コンテンツ再生処理部２０４、モニタ２０６、スピーカ２０７
コンテンツ再生処理部２０４は、入出力部２０９を介してサーバ１００からコンテンツを受信すると、コンテンツから映像信号及び音声信号を生成し、それぞれモニタ２０６又はスピーカ２０７に出力する。
【００３６】
モニタ２０６及びスピーカ２０７は、それぞれ受け取った映像信号又は音声信号を出力する。
（６）入出力部２０９
入出力部２０９は、通信網５００を介してサーバ１００とデータの送受信を行う。
２．  機器登録システム１の動作
２．１  サーバ１００の動作
サーバ１００の登録の動作について、図６を参照して説明する。
【００３７】
入出力部１１６を介して端末装置から登録要求を受信すると（ステップＳ６０１）、登録チェック部１０２は、登録リスト格納部１０１から登録リストを読み出し、要求元の端末装置のIDが登録リストに登録されているか否かを判断する（ステップＳ６０２）。登録されている場合（ステップＳ６０２でYES）、要求元の端末装置へ、登録済みであることを通知し（ステップＳ６０３）、登録処理を終了する。
【００３８】
登録されていない場合（ステップＳ６０２でNO）、登録処理を開始する。
まず、登録処理が開始されると、経過時間測定部１０８は、時間区分Tを０に設定し（ステップＳ６０５）、メッセージ通知部１０９にT＝０であることを通知する。メッセージ通知部１０９は、メッセージリスト格納部１１０に格納されているメッセージリストから、T=０に対応するメッセージを読み出して要求元の端末装置へ送信する（ステップＳ６０６）。
【００３９】
パケット送信部１０６は、計測パケットを生成し、要求元の端末装置へ送信する（ステップＳ６０７）。また、計測値チェック部１０５は、パケット送信からの時間を計測し、経過時間測定部１０８は、登録処理を開始してからの経過時間を計測する。
計測値チェック部１０５は、端末装置からの応答を受信すると（ステップＳ６０８）、計測パケット送信から応答受信までの時間を計測値とし、参照計測値と比較する（ステップＳ６０９）。参照計測値より計測値が小さい場合（ステップＳ６０９でYES）、結果を登録処理部１０３へ出力し、登録処理部１０３は、要求元の端末装置のIDを登録リストに登録する（ステップＳ６１０）。登録が終了すると、通信部１０４は、登録が完了した旨を端末装置２００に通知し（ステップＳ６１１）、登録処理を終了する。
【００４０】
ステップＳ６０９で、計測値が参照計測値以上である場合（ステップＳ６０９でNO）、経過時間測定部１０８は、測定した経過時間が、Tに対応する基準経過時間を超えたか否かを判断し（ステップＳ６１２）、超えていない場合、ステップＳ６０７に戻って、計測パケットの送信から繰り返す。
経過時間が基準経過時間を超えると判断される場合でTが４でない場合（ステップＳ６１３でNO）、経過時間測定部１０８は、Tをインクリメントし（ステップＳ６１４）、メッセージ通知部１０９は、Tに対応するメッセージをメッセージリストから読み出して端末装置へ送信する（ステップＳ６１５）。また、端末装置２００から中止を示す要求を受け付けた場合（ステップＳ６１６でYES）、端末装置２００へ中止通知を送信し（ステップＳ６１７）、以降の処理を終了する。また、中止の要求を受け付けていない場合（ステップＳ６１６でNO）、ステップＳ６０７へ戻って、計測パケットの送信から繰り返す。
【００４１】
経過時間が基準経過時間を越えた場合に、T＝４のとき（ステップＳ６１３でYES）、端末装置２００へ処理中止通知を送信し（ステップＳ６１７）、以降の処理を終了する。
２．２  端末装置２００の動作
端末装置２００の登録処理の動作について、図７を参照して説明する。
入力部２０８から、登録を示す入力を受け付けると、通信処理部２０５は、サーバ１００に対して、登録要求を行う（ステップＳ６３１）。
【００４２】
パケット通信部２０１は、計測パケットを受信すると（ステップＳ６３２でYES）、応答パケットを生成してサーバ１００へ送信する（ステップＳ６３３）。また、入出力部２０９を介してメッセージ受信部２０３がメッセージを受信した場合（ステップＳ６３４）、モニタ２０６にメッセージを表示する（ステップＳ６３５）。ここで入力部２０８からの入力が中止を示す場合（ステップＳ６３６）、サーバ１００へ中止要求を送信し（ステップＳ６３７）、サーバ１００から中止通知を受信すると（ステップＳ６３８）、処理を終了する。
【００４３】
また、登録結果受信部２０２が完了通知を受信すると（ステップＳ６３９でYES）、モニタ２０６に完了したことを表示し（ステップＳ６４０）、処理を終了する。完了通知を受信していない場合（ステップＳ６３９でNO）、処理を継続する。
（実施の形態２）
実施の形態１では、一旦端末装置２００を登録すると、その後永久に登録されることを想定している。本実施の形態２では、登録時に有効期限を設定し、有効期限内であればサーバ１００内のコンテンツを利用可能な場合を考える。更に、有効期限の延長処理を行い、延長処理に成功すると、有効期限を延長し、ユーザは、意識しなくても、永久に登録されている場合と同様に、コンテンツを利用することが出来る。
【００４４】
なお、実施の形態２では、実施の形態１と異なる部分について説明する。また、端末装置２００の構成は、実施の形態１と同様のため、説明を省略する。
３．１  サーバ１００ｂの構成
サーバ１００ｂは、図８に示すように、登録チェック部１０２ｂ、登録処理部１０３ｂ、通信部１０４、計測値チェック部１０５ｂ、パケット送信部１０６、参照値格納部１０７ｂ、経過時間測定部１０８ｂ、メッセージ通知部１０９、メッセージリスト格納部１１０、コンテンツ格納部１１１、コンテンツ送信部１１２、計時部１１３、空き時間管理部１１４ｂ、有効期限管理部１１５ｂ、入出力部１１６、基準経過時間表格納部１１７ｂ及び情報記憶部１１９ｂから構成される。
【００４５】
通信部１０４、パケット送信部１０６、メッセージ通知部１０９、メッセージリスト格納部１１０、コンテンツ格納部１１１、コンテンツ送信部１１２、計時部１１３及び入出力部１１６は、実施の形態１と同様のため、説明を省略する。
以下、実施の形態１と異なる、登録チェック部１０２ｂ、登録処理部１０３ｂ、計測値チェック部１０５ｂ、参照値格納部１０７ｂ、経過時間測定部１０８ｂ、空き時間管理部１１４ｂ、有効期限管理部１１５ｂ、基準経過時間表格納部１１７ｂ及び情報記憶部１１９ｂについて説明する。
（１）情報記憶部１１９ｂ
情報記憶部１１９ｂは、登録リストと延長対応表とを記憶している。
【００４６】
登録リストは、図９に示すように、端末装置のIDと、有効期限と、延長回数とが対応付けられた登録情報が、登録されている端末装置の数だけ含んで構成される。有効期限は、有効期限内であるか否かと、有効期限の残りの日数とが対応付けられている。有効期限の日数は、登録してからの時間に応じて、有効期限管理部１１５ｂによって減らされていく。具体的には、図９のID４又はID2のように、有効期限内である場合、期限内であることと、残りの有効期限の日数とが対応付けられている。また、図９ID３のように、有効期限が切れている場合、期限切れであることと、有効期限の残りの日数とが対応付けられており、残りの日数は有効期限管理部１１５ｂによって減らされるので、この場合、有効期限が切れた日から更に減らされた日数が「−２」として記録されている。延長回数は、対応する有効期限を延長した回数を示し、新規に登録する場合には、延長回数として「０」が対応付けられる。
【００４７】
延長対応表は、図１０に示すように、延長回数と延長日数とが対応付けられて構成される。延長回数は、登録情報の延長回数と対応し、有効期限を延長する際に、その登録情報の延長回数が対応する延長日数が元の有効期限に加算される。例えば、登録リストで延長回数が「３」の登録情報の有効期限を延長する場合、延長対応表の延長回数「３」に対応する延長日数「１９」が、延長前の有効期限に加算される。
（２）計測値チェック部１０５ｂ、参照値格納部１０７ｂ、
参照値格納部１０７ｂは、参照計測値として、新規登録の場合に利用される値と、延長処理の場合に利用される値とを格納している。一例として、新規登録の場合は、５ミリ秒、延長処理の場合は、７ミリ秒とする。
【００４８】
計測値チェック部１０５ｂは、実施の形態１の計測値チェック部１０５と同様に、パケット送信部１０６が計測パケットを送信してから、応答パケットを受信するまでの時間を計測する。また、計測した時間を参照値格納部１０７ｂに格納している参照計測値と比較する。参照計測値は、上述のように新規登録の場合、５ミリ秒、延長処理の場合、７ミリ秒で計測値を比較する。
【００４９】
また、一旦有効期限が切れた端末装置を登録する場合、期限が切れてからの日数がある一定以上経過すると、新規登録と同じ５ミリ秒として比較する。ここでは、一例として、期限が切れてから２日以上経過している場合は、新規登録と同じ５ミリ秒、２日未満の場合は、延長処理と同じ７ミリ秒とする。
（３）経過時間測定部１０８ｂ、基準経過時間表格納部１１７ｂ、
基準経過時間表格納部１１７ｂは、図１１に示す基準経過時間表を格納している。基準経過時間表は、時間区分Tと、登録時の経過時間と延長時の経過時間とが対応付けられて構成される。
【００５０】
時間区分Tは実施の形態１と同様に、メッセージの種類の数だけ含んで構成される。
登録時の経過時間は、新規登録の際に基準となる経過時間で、延長時の経過時間は、延長処理を行う際に基準となる経過時間である。
経過時間測定部１０８ｂは、実施の形態１と同様に、登録処理を開始してからの経過時間を計測し、基準経過時間と比較する。新規登録の際には、Tに対応する登録時の経過時間と比較し、延長処理の際には、Tに対応する延長時の経過時間と比較する。また、有効期限が切れた端末装置を登録する場合には、期限が切れて２日以上経過している場合には、新規登録と同じ登録時の経過時間を用い、期限が切れて２日未満の場合は、延長時と同じ延長時の経過時間を用いて比較する。
（４）空き時間管理部１１４ｂ
空き時間管理部１１４ｂは、サーバ１００が処理を行っていない空き時間を検出する。空き時間とは、コンテンツの送信や、コンテンツを送信するための登録チェックを行っていない時間を指す。
【００５１】
空き時間を検出すると、有効期限管理部１１５ｂに出力する。
（５）有効期限管理部１１５ｂ
有効期限管理部１１５ｂは、空き時間が検出されると、延長処理を行う。
まず、登録リストから、有効期限の残りが２日以下の登録情報を抽出する。抽出した登録情報のうち、有効期限の残りが少ない方を優先的に処理する。なお、有効期限の残りが２日以下の登録情報が無い場合、延長処理は行わない。
【００５２】
また、計時部１１３が計時する日時を基に、登録リストに登録されている登録情報の有効期限を減らす。
また、有効期限の延長が出来ずに期限が切れた場合、有効期限を有効期限切れに書き換え、その後は、期限が切れてからの日数をカウントする。
（６）登録処理部１０３ｂ
登録処理部１０３ｂは、実施の形態１と同様に、端末装置から登録要求を受信した場合に、登録処理を行う。また、有効期限管理部１１５ｂが延長が必要な登録情報を抽出した場合に、その端末装置の延長処理を行う。
【００５３】
また、登録処理部１０３ｂは、図１６に示すように、新規登録の場合（ステップＳ６７１でYES）、参照計測値を５ミリ秒、登録時基準経過時間、有効期限を５日、延長回数を０回に設定する（ステップＳ６７２）。また、新規登録でない場合（ステップＳ６７１でNO）、有効期限内であるか否かを判断する（ステップＳ６７３）。有効期限内の場合、つまり延長処理の場合（ステップＳ６７３でYES）、参照計測値を７ミリ秒に設定し、基準経過時間を延長時基準経過時間に設定する。また、登録リストに登録されている延長回数をチェックし、延長対応表からチェックした延長回数に対応する延長日数を、有効期限に追加する延長日数として設定する（ステップＳ６７５）。
【００５４】
また、ステップＳ６７３で有効期限内でない場合（ステップＳ６７３）、つまり、有効期限が一旦切れた端末装置を再び登録する場合、有効期限切れからの日数が２日以内であるか否かを判断する。２日以内の場合、延長処理と同様にして、参照計測値を７ミリ秒、延長時基準経過時間、延長回数に対応する延長日数を設定する。また、期限切れから２日以上経過している場合、新規登録の場合と同様に参照計測値を５ミリ秒とし、登録時基準経過時間、有効期限、延長回数の設定を行う（ステップＳ６７２）。
４．  動作
４．１  サーバ１００ｂによる登録処理の動作
端末装置２００を新規登録する場合のサーバ１００ｂの動作について、図１２を参照して説明する。
【００５５】
なお、図6に示す実施の形態１におけるサーバ１００の登録処理の動作と同一の動作に関しては、同一の処理ステップ番号を付し、その説明を省略する。以下では、図６に示した実施の形態１におけるサーバ１００の登録処理の動作との差異点を中心に説明する。
ステップＳ６０１、６０２で、端末装置２００から登録要求を受け付け、未登録であると判断された場合、前述のようにして、参照計測値、基準経過時間、延長回数及び有効期限を設定する（ステップＳ６４１）。
【００５６】
なお、ステップＳ６４１における参照計測値、基準経過時間、延長回数及び有効期限の設定処理の詳細は、図１６を用いて既に説明した通りである。
設定した参照計測値及び基準経過時間を用いて、ステップＳ６０５〜６１７のように登録処理を行い、ステップＳ６０９で計測値が参照計測値より小さいと判断された場合、ステップＳ６４２で設定した有効期限「５日」と延長回数「０」とを端末装置２００のID2に対応付けて登録リストに書き込む。また、通信部１０４は、登録処理が終了したことを示す完了通知を端末装置２００へ通知し、処理を終了する。
４．２  サーバ１００ｂによる延長処理の動作
サーバ１００ｂによる有効期限の延長処理の動作について、図１３〜１５を参照して説明する。なお、図６に示した実施の形態１におけるサーバ１００の登録処理の動作と同一の動作に関しては、同一の処理ステップ番号を付し、その説明を省略する。
【００５７】
空き時間管理部１１４ｂが空き時間を検出すると、有効期限管理部１１５ｂは、登録リストから有効期限が２日以下の登録情報があるか否かを判断し（ステップＳ６５１）、無い場合は延長処理を終了する。ある場合は、優先度の高いものを処理対象とする（ステップＳ６５２）。
登録処理部１０３ｂは、処理対象の登録情報に基づいて、参照計測値、基準経過時間及び延長日数を設定する（ステップＳ６５３）。なお、ステップＳ６５３における参照計測値、基準経過時間及び延長日数の設定処理の詳細は、図１６を用いて既に説明した通りである。また、有効期限が１日以下であるか否かを判断し（ステップＳ６５４）、１日以下でない場合（ステップＳ６５４でNO）、T＝４に設定し（ステップＳ６５５）、パケット送信部１０６は、計測パケットを送信する（ステップＳ６５６）。計測値チェック部１０５ｂは、応答パケットを受信し、計測パケットの送信から応答パケットの受信までの時間を計測する。計測値と参照計測値とを比較し、計測値が参照計測値以上であると判断された場合、経過時間測定部１０８で経過時間がTに対応する基準経過時間以内である場合（ステップＳ６１２でNO）、ステップＳ６５６に戻って、パケットの送受信を繰り返す。また、計測値が参照計測値以上であり、経過時間が基準経過時間を超えた場合（ステップＳ６１２でYES）、端末装置２００に中止通知を送信し（ステップＳ６６０）、処理対象の登録情報に関する延長処理を終了する。また、有効期限が２日以下で未処理の登録情報がある場合（ステップＳ６６１でYES）、次に優先度が高い登録情報を処理対象とし（ステップＳ６６２）、ステップＳ６５３から延長処理を行う。また、未処理の登録情報が無い場合（ステップＳ６６１）、延長処理を終了する。
５．その他の変形例
なお、本発明を上記の実施の形態に基づいて説明してきたが、本発明は、上記の実施の形態に限定されないのはもちろんである。以下のような場合も本発明に含まれる。
（１）本実施の形態１及び２では、サーバ１００が文字データであるメッセージを端末装置へ送信するとしたが、端末装置がメッセージを保持しているとしても良い。
【００５８】
この場合、端末装置は、メッセージを識別する識別情報と、メッセージとを対応付けて記憶している。サーバ１００は、経過時間の区分と、経過時間に対応する識別情報とを対応付けて保持している。サーバ１００は、登録処理又は延長処理の開始からの経過時間を測定し、経過時間の区分に応じて、対応する識別情報を端末装置へ送信する。端末装置は、受信した識別情報に対応するメッセージを読み出してモニタに表示する。
【００５９】
なお、識別情報の変わりに、経過時間自体を端末装置へ送信するとしても良く、端末装置は、予め経過時間の区分と、それに対応するメッセージを保持し、受信する経過時間に対応するメッセージをモニタに表示する。
なお、メッセージとは、ユーザに状況を通知するものであり、文字列であってもよいし、画像データであっても良い。
（２）端末装置がサーバに登録を要求する際に、IDを暗号化して送信するとしても良い。
【００６０】
また、サーバから端末装置へ送信するメッセージを暗号化して送信するとしても良い。
これにより、IDやメッセージの改竄や成りすましを防止することが出来る。また、端末装置はサーバから送信される的確なメッセージに従うことで、ユーザは登録処理を不安なく実施することが出来る。
また、サーバと端末装置との間で、予め鍵を共有し、共有した鍵に依存したデータをそれぞれ計測パケット又は応答パケットに格納して送信するとしても良い。
【００６１】
これにより、パケットの改竄や偽造を防止することが出来る。
また、サーバからの完了通知にサーバ１００の署名を付加してもよい。これにより、完了通知の改竄や偽造を防止することが出来る。
（３）実施の形態２で、有効期限を残りの日数として表しているが、期限となる日の日時を有効期限として登録するとしても良い。
（４）本実施の形態２では、延長する有効期限を延長回数に応じて変えるとしたが、延長する期間は、固定であっても良い。
（５）実施の形態２では、参照計測値を登録時と延長時とで変えるとしたが、同じ参照計測値を利用するとしても良い。また、登録と延長との２段階に分けているが、登録回数によって、参照計測値を更に多くの段階に分けても良い。
（６）有効期限の延長処理を空き時間が検出された場合に行うとしたが、有効期限に応じて、延長処理の優先度を変更しても良い。例えば、有効期限の残り時間に基準を設け、基準より少なくなると、他の処理よりも優先度を上げて延長処理を行う。これにより、有効期限内に延長が可能となり易い。
（７）延長処理において、有効期限の残りが少なくなると、他の処理、例えばコンテンツの視聴より優先して、計測パケット及び応答パケットの送受信が行われるとしても良い。
【００６２】
以下に、延長処理を優先する場合について説明する。
（ａ）サーバ及び端末装置において、延長処理を優先する場合
サーバ装置は、有効期限が予め定めた基準よりも少なくなると、他の処理より優先して計測パケットの送信を行う。また、端末装置は、計測パケットを受信すると、すぐに応答パケットを生成して送信する。この処理の優先度を他の処理、例えばコンテンツの視聴などよりも高くする。
【００６３】
なお、この場合、端末装置は、サーバと同様に有効期限を保持し、現在日時に合わせて管理する必要がある。また、有効期限の残りが基準より少ないか判断する。また、他の処理とは、コンテンツの視聴などである。
（ｂ）通信路上のパケットの優先度を上げる場合
送受信されるパケットには優先度を示す付加情報を付されており、通信路では、その付加情報に依存して処理される。
【００６４】
有効期限の残りが少なくなると、サーバは、計測パケットに、高い優先度の付加情報を付けて送信する。すると、通信路が混み合っていても、この計測パケットは優先して端末装置まで到達する。
また、端末装置は、計測パケットの付加情報が優先度が高いことを示すため、応答パケットに高い優先度を示す付加情報を付して、返信する。
【００６５】
すると、サーバでの計測値が参照計測値より小さくなる可能性が高くなり、登録がスムーズに行われる。
（８）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００６６】
また、本発明は、前記コンピュータプログラム又は前記デジタル信号をコンピュータ読み取り可能な記録媒体、例えば、フレキシブルディスク、ハードディスク、CD-ROM、MO、DVD、DVD-ROM、DVD-RAM、BD（Blu-ray Disc）、半導体メモリなど、に記録したものとしてもよい。また、これらの記録媒体に記録されている前記コンピュータプログラム又は前記デジタル信号であるとしてもよい。
【００６７】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００６８】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（９）上記実施の形態及び上記変形例をそれぞれ組み合わせるとしてもよい。
【産業上の利用可能性】
【００６９】
映画や音楽などの著作物がデジタル化されたコンテンツやコンピュータプログラムなどのソフトウェアを提供するソフトウェア産業において、本発明は、経営的に、また反復的、継続的に使用することが出来る。また、本発明のサーバ、端末装置は、電器製品等の製造産業において、生産し、販売することが出来る。
【図面の簡単な説明】
【００７０】
【図１】機器登録システム１の全体の構成を示す。
【図２】実施の形態１のサーバ１００の構成を示すブロック図である。
【図３】基準経過時間表のデータ構造を示す。
【図４】メッセージリストの構成を示す。
【図５】端末装置２００の構成を示すブロック図である。
【図６】サーバ１００の登録処理の動作を示すフローチャートである。
【図７】端末装置２００の登録処理の動作を示すフローチャートである。
【図８】実施の形態２のサーバ１００ｂの構成を示すブロック図である。
【図９】登録リストのデータ構造を示す。
【図１０】延長対応表のデータ構造を示す。
【図１１】基準経過時間表のデータ構造を示す。
【図１２】サーバ１００ｂの新規登録処理の動作を示すフローチャートである。
【図１３】サーバ１００ｂの延長処理の動作を示すフローチャートである。図１４に続く。
【図１４】サーバ１００ｂの延長処理の動作を示すフローチャートである。図１３の続き。図１５に続く。
【図１５】サーバ１００ｂの延長処理の動作を示すフローチャートである。図１４の続き。
【図１６】各項目の設定処理を示すフローチャートである。
【符号の説明】
【００７１】
１    機器登録システム
１００    サーバ
１０１    登録リスト格納部
１０２    登録チェック部
１０３    登録処理部
１０４    通信部
１０５    計測値チェック部
１０６    パケット送信部
１０７    参照値格納部
１０８    経過時間測定部
１０９    メッセージ通知部
１１０    メッセージリスト格納部
１１１    コンテンツ格納部
１１２    コンテンツ送信部
１１３    計時部
１１４ｂ  時間管理部
１１５ｂ  有効期限管理部
１１６    入出力部
１１７    基準経過時間表格納部
１１９ｂ  情報記憶部
２００    端末装置
２０１    パケット通信部
２０２    登録結果受信部
２０３    メッセージ受信部
２０４    コンテンツ再生処理部
２０５    通信処理部
３００    端末装置
４００    端末装置
５００    通信網
【図１】
0004287435.tif 000002
【図２】
0004287435.tif 000003
【図３】
0004287435.tif 000004
【図４】
0004287435.tif 000005
【図５】
0004287435.tif 000006
【図６】
0004287435.tif 000007
【図７】
0004287435.tif 000008
【図８】
0004287435.tif 000009
【図９】
0004287435.tif 000010
【図１０】
0004287435.tif 000011
【図１１】
0004287435.tif 000012
【図１２】
0004287435.tif 000013
【図１３】
0004287435.tif 000014
【図１４】
0004287435.tif 000015
【図１５】
0004287435.tif 000016
【図１６】
0004287435.tif 000017